(57)【要約】【課題】従来のセキュリティシステムは、複数端末間で電子鍵を流通させることを想定したものでなかった。このため、単純に個々の端末毎に電子鍵を操作する仕組みを提供するだけでは、個々の端末操作が煩雑になると共に、必要以上に電子鍵が流通してしまい安全性が低くなってしまうという問題を解決することが出来なかった。【解決手段】前記課題については、利用者名と鍵・開閉対象・利用者通知先を格納する記憶手段と、利用者からの鍵取得要求を受信する手段と、前記鍵取得要求に対応する鍵を生成し、前記記憶手段に格納する手段と、生成した鍵を、前記鍵取得要求を行った利用者、および前記利用者と同じ開閉対象を持つ利用者の利用者通知先に送信する手段を提供することで解決される。【選択図】図１
2005025546.tif 000002
【特許請求の範囲】
【請求項１】
利用者名と鍵・開閉対象・利用者通知先を格納する記憶手段と、
利用者からの鍵取得要求を受信する手段と、
前記鍵取得要求に対応する鍵を生成し、前記記憶手段に格納する手段と、
生成した鍵を、前記鍵取得要求を行った利用者、および前記利用者と同じ開閉対象を持つ利用者の利用者通知先に送信する手段
を備えたことを特徴とする電子鍵制御装置。
【請求項２】
利用者名と鍵・開閉対象・開閉対象イベント通知先・利用者通知先・利用者通知方法を格納する記憶手段と、
利用者から鍵使用要求を受信する手段と、
受信した鍵が前記記憶手段中の前記利用者に対応する鍵と一致した場合、前記利用者に対応する開閉対象イベント通知先に、前記開放対象に対する許可を送信する手段と、
前記記憶手段中の前記利用者に対応する鍵を無効にする手段と、
前記鍵が無効になった旨のメッセージを、前記利用者、および前記利用者と同じ開閉対象を持つ前記の利用者通知先に前記のそれぞれの利用者通知先に対応する利用者通知方法を用いて通知する手段
を備えたことを特徴とする電子鍵管理装置。
【請求項３】
利用者名と鍵・開閉対象・開閉対象イベント通知先・利用者通知先・利用者通知方法を格納する記憶手段と、
利用者から鍵使用要求を受信する手段と、
受信した鍵が前記記憶手段中の前記利用者に対応する鍵と一致しなかった場合、受信した鍵が前記記憶手段中の前記利用者に対応する鍵と一致しなかった回数を積算する手段と、
前記回数が所定の閾値を超過した場合、前記記憶手段中の前記利用者に対応する鍵を無効にする手段と、
前記鍵が無効になった旨のメッセージを、前記利用者、および前記利用者と同じ開閉対象を持つ前記の利用者通知先に前記のそれぞれの利用者通知先に対応する利用者通知方法を用いて通知する
を備えたことを特徴とする電子鍵管理装置。
【請求項４】
利用者からの鍵取得要求を受信するステップと、
前記鍵取得要求に対応する鍵を生成し、利用者名と鍵・開閉対象・利用者通知先を格納する記憶手段に格納するステップと、
生成した鍵を、前記鍵取得要求を行った利用者、および前記利用者と同じ開閉対象を持つ利用者の利用者通知先に送信するステップ
を備えたことを特徴とする電子鍵制御方法。
【請求項５】
利用者からの鍵取得要求を受信するステップと、
前記鍵取得要求に対応する鍵を生成し、利用者名と鍵・開閉対象・利用者通知先を格納する記憶手段に格納するステップと、
生成した鍵を、前記鍵取得要求を行った利用者、および前記利用者と同じ開閉対象を持つ利用者の利用者通知先に送信するステップ
を実行させるためのプログラムを格納したコンピュータ読み取り可能な記録媒体。
【発明の詳細な説明】
【０００１】
【発明の属する技術分野】
本発明は、電子鍵の制御装置に関するものである。
【０００２】
【従来の技術】
従来のセキュリティシステムは、単に所定の端末から電子錠（電子鍵）を遠隔操作できる機能を提供するものである。（例えば、特許文献１参照）
【０００３】
【特許文献１】
特開２００２−２６０１３５
【０００４】
【発明が解決しようとする課題】
前記従来の技術は、複数端末間で電子鍵を流通させることを想定したものでなかった。このため、単純に個々の端末毎に電子鍵を操作する仕組みを提供するだけでは、個々の端末操作が煩雑になると共に、必要以上に電子鍵が流通してしまい安全性が低くなってしまうという問題を解決することが出来なかった。
【０００５】
【課題を解決するための手段】
前記課題については、利用者名と鍵・開閉対象・利用者通知先を格納する記憶手段と、利用者からの鍵取得要求を受信する手段と、前記鍵取得要求に対応する鍵を生成し、前記記憶手段に格納する手段と、生成した鍵を、前記鍵取得要求を行った利用者、および前記利用者と同じ開閉対象を持つ利用者の利用者通知先に送信する手段を提供することで解決される。
【０００６】
【発明の実施の形態】
以下に、本発明による電子鍵制御装置の実施形態を図面により詳細に説明する。図１は本発明のシステム構成図である。同図において、電子鍵制御装置１０１は、プロセッサとメモリを備えるコンピュータであって、前記電子鍵制御装置で管理する電子鍵の操作を行う利用者端末１１１、および１１３と、前記電子鍵による開閉対象の制御を行う開閉対象制御装置１１５がネットワーク１０９を介して接続されているものとする。
【０００７】
また、電子鍵制御装置１０１は、利用者から利用者端末１１１、または１１３を経由して受信した電子鍵の利用者情報を利用者ＤＢ１０７に登録する処理を行う利用者登録プログラム１０３と、利用者から利用者端末１１１、または１１３を経由して電子鍵の制御を行う電子鍵制御プログラムを備える。
【０００８】
先ず、利用者から受信した利用者情報を利用者ＤＢ１０７に設定する利用者情報登録処理を、図１と図２・図４・図５を用いて説明する。
【０００９】
図２は利用者登録プログラム１０３の動作を説明するフローチャート、図４は利用者ＤＢ１０７の具体的な内容を開示したもの、図５は利用者端末の画面の例である。
【００１０】
ここで図２により、利用者から利用者端末１１１、または１１３を経由して受信した電子鍵の利用者情報を利用者ＤＢ１０７に登録する処理を行う利用者登録プログラム１０３の動作を説明する。
【００１１】
利用者登録プログラム１０３は、Ｓ２０１で利用者から利用者情報の登録要求を受信し、Ｓ２０３で受信した利用者情報を利用者ＤＢ１０７に格納する。
【００１２】
Ｓ２０５で受信した利用者情報の利用者ＤＢ１０７への登録が完了した旨の通知を前記の登録要求を行った利用者に送信する。
【００１３】
図５の５０１は、利用者が利用者情報の登録を行う場合の利用者端末１１１、または１１３の画面例であり、利用者が、利用者名と開閉対象・開閉対象イベント通知先として「大島  克巳とＯｓｈｉｍａ＃ｈｏｕｓｅ・Ｏｓｈｉｍａ＃ｈｏｕｓｅ＠ｍ．ｃｏｍ、大島  とも子とＯｓｈｉｍａ＃ｈｏｕｓｅ・Ｏｓｈｉｍａ＃ｈｏｕｓｅ＠ｍ．ｃｏｍ、大島  カツオとＯｓｈｉｍａ＃ｈｏｕｓｅ・Ｏｓｈｉｍａ＃ｈｏｕｓｅ＠ｍ．ｃｏｍ」を入力したことを示すものである。
【００１４】
また、利用者通知先と利用者通知方法についても同図の「次頁：利用者通知先、利用者通知方法の登録」のボタンを押下することで利用者名と開閉対象・開閉対象イベント通知先と同様に登録可能であることも示すものである。
【００１５】
図４の４０１は、利用者情報登録後の利用者ＤＢ１０７の内容を開示したものであり、利用者名・鍵・開閉対象・開閉対象イベント通知先・利用者通知先・利用者通知方法として、「大島  克巳・００００００・Ｏｓｈｉｍａ＃ｈｏｕｓｅ・Ｏｓｈｉｍａ＃ｈｏｕｓｅ＠ｍ．ｃｏｍ・Ｏｓｈｉｍａ＠ｆｊ．ｃｏｍ・Ｏｓｈｉｍａ＠ｆｊ．ｃｏｍ、大島  とも子・００００００・Ｏｓｈｉｍａ＃ｈｏｕｓｅ・Ｏｓｈｉｍａ＃ｈｏｕｓｅ＠ｍ．ｃｏｍ・Ｔｏｍｏｋｏ＠ａｄ．ｃｏｍ・０４４４７３００００、大島カツオ・００００００・Ｏｓｈｉｍａ＃ｈｏｕｓｅ・Ｏｓｈｉｍａ＃ｈｏｕｓｅ＠ｍ．ｃｏｍ・Ｋａｔｕｏ＠ａｄ．ｃｏｍ・Ｋａｔｕｏ＠ａｄ．ｃｏｍ」が格納されたことを示すものである。
【００１６】
なお、鍵の項目に設定されている「００００００」は初期値であり、開閉対象に対する制御に使用出来るものではない。
【００１７】
次に、利用者から受信した電子鍵の制御処理を図１と図３・図４・図５・図６・図７を用いて説明する。
【００１８】
図３は電子鍵制御プログラム１０５の動作を説明するフローチャート、図６および図７は利用者端末の画面例である。
【００１９】
ここで図３により、利用者から利用者端末１１１、または１１３を経由して電子鍵の制御を行う電子鍵制御プログラム１０５の動作を説明する。
【００２０】
電子鍵制御プログラム１０５は、Ｓ３０１で利用者からの電子鍵取得要求を受信し、Ｓ３０５で前記取得要求に対応する電子鍵を生成し、利用者ＤＢ１０７に格納する。
【００２１】
図５の５０３は、利用者が電子鍵の取得要求を行う場合の利用者端末１１１、または１１３の画面例であり、利用者が、同図の「取得」ボタンを押下すること電子鍵が取得出来ることを示すものである。
【００２２】
図４の４０３は、電子鍵生成後の利用者ＤＢ１０７の内容を開示したものであり、各利用者の鍵の項目に生成された電子鍵「ｑ１ｗ２ｅ３」が格納されたことを示すものである。
【００２３】
Ｓ３０７で、Ｓ３０５で生成した電子鍵を、前記取得要求を行った利用者と前記取得要求を行った利用者と同じ開閉対象を持つ利用者に送信する。
【００２４】
図６の６０１は、電子鍵の取得要求を行った利用者が電子鍵制御装置１０１から電子鍵を取得した場合の利用者端末１１１、または１１３の画面例であり、電子鍵を添付情報として取得したことを示すものである。
【００２５】
図６の６０３は、電子鍵の取得要求を行った利用者と同じ開閉対象を持つ利用者が電子鍵制御装置１０１から電子鍵を取得した場合の利用者端末１１１、または１１３の画面例であり、電子鍵を添付情報として取得したことを示すものである。
【００２６】
Ｓ３０９で前記の電子鍵による開放対象についての開放要求を受信したかどうかの判定を行う。
【００２７】
前記判定の結果、前記の電子鍵による開放対象についての開放要求を受信していなかった場合、何も処理せずにＳ３０９の状態を保持する。
【００２８】
前記判定の結果、前記の電子鍵による開放対象についての開放要求を受信していた場合、Ｓ３１１で、前記開放要求中の電子鍵が、利用者ＤＢ１０７中の前記開放要求を行った利用者に対応する電子鍵と一致するかどうかの判定を行う。
【００２９】
前記判定の結果、前記開放要求中の電子鍵が、利用者ＤＢ１０７中の前記開放要求を行った利用者に対応する電子鍵と一致した場合、Ｓ３１３で前記開放要求に対する許可を開閉対象イベント通知先に送信する。
【００３０】
Ｓ３１５で、利用者ＤＢ１０７中の前記開放要求を行った利用者に対応する電子鍵と、前記利用者と同じ開閉対象を持つ利用者に対応する電子鍵を削除する。
【００３１】
図４の４０１は、電子鍵が削除された場合、利用者ＤＢ１０７の鍵の項目は、図４の４０１と同様に初期値「００００００」が格納される。
【００３２】
Ｓ３１７で前記開放要求を行った利用者に対応する電子鍵と前記利用者と同じ開閉対象を持つ利用者に対応する電子鍵が正常処理により削除された旨のメッセージを、利用者ＤＢ１０７中の前記開放要求を行った利用者と前記開放要求を行った利用者と同じ開閉対象を持つ利用者に対応する利用者通知方法を用いて、利用者ＤＢ１０７中の前記開放要求を行った利用者と前記開放要求を行った利用者と同じ開閉対象を持つ利用者に対応する利用者通知先に送信する。
【００３３】
図７の７０１は、電子鍵の取得要求を行った利用者と同じ開閉対象を持つ利用者が、正常処理により電子鍵が削除された旨のメッセージを電子メール形式で電子鍵制御装置１０１から受信した場合の利用者端末１１１、または１１３の画面例を示すものである。
【００３４】
また、前記メッセージは利用者ＤＢ１０５中の開閉対象通知方法に基づいて通知されるものであるため、利用者が所定の電話番号に対する着信に応答すると自動アナウンスに繋がり、そのアナウンスにより正常処理により電子鍵が削除されたことを知る形式でも良いし、電子鍵制御装置１０１中に図示していないが別途定義した特殊な呼び出しパターンに基づいて前記電話番号に対して特殊な呼び出しパターンの呼び出しを行い、その特殊な呼び出しパターン受けた利用者が正常処理により電子鍵が削除されたことを知る形式でも良い。
【００３５】
前記判定の結果、前記開放要求中の電子鍵が、利用者ＤＢ１０７中の前記開放要求を行った利用者に対応する電子鍵と一致しなかった場合、Ｓ４０１で前記開放要求中の電子鍵が、利用者ＤＢ１０７中の前記開放要求を行った利用者に対応する電子鍵と一致しなかった回数をカウントする。
【００３６】
Ｓ４０３で前記の回数が、電子鍵制御装置１０１が図示していないが別途定義した閾値を超過したかどうかの判定を行う。
【００３７】
前記判定の結果、前記の回数が、電子鍵制御装置１０１が図示していないが別途定義した閾値を超過していなかった場合、再度、Ｓ３０９の処理を行う。
【００３８】
前記判定の結果、前記の回数が、電子鍵制御装置１０１が図示していないが別途定義した閾値を超過していた場合、Ｓ４０５で利用者ＤＢ１０７中の前記開放要求を行った利用者と前記開放要求を行った利用者を同じ鍵情報対象物情報を持つ利用者に対応する電子鍵を削除する。
【００３９】
図４の４０１は、電子鍵が削除された場合、利用者ＤＢ１０７の鍵の項目は、図４の４０１と同様に初期値「００００００」が格納される。
【００４０】
Ｓ４０７で前記開放要求を行った利用者に対応する電子鍵と前記利用者と同じ開閉対象を持つ利用者に対応する電子鍵が異常処理により削除された旨のメッセージを、利用者ＤＢ１０７中の前記開放要求を行った利用者と前記開放要求を行った利用者と同じ開閉対象を持つ利用者に対応する利用者通知方法を用いて、利用者ＤＢ１０７中の前記開放要求を行った利用者と前記開放要求を行った利用者と同じ開閉対象を持つ利用者に対応する利用者通知先に送信する。
【００４１】
図７の７０３は、電子鍵の取得要求を行った利用者と同じ開閉対象を持つ利用者が、異常処理により電子鍵が削除された旨のメッセージを電子鍵制御装置１０１から受信した場合の利用者端末１１１、または１１３の画面例を示すものである。
【００４２】
また、前記メッセージは利用者ＤＢ１０５中の開閉対象通知方法に基づいて通知されるものであるため、利用者が所定の電話番号に対する着信に応答すると自動アナウンスに繋がり、そのアナウンスにより異常処理により電子鍵が削除されたことを知る形式でも良し、電子鍵制御装置１０１中に図示していないが別途定義した特殊な呼び出しパターンに基づいて前記電話番号に対して特殊な呼び出しパターンの呼び出しを行い、その特殊な呼び出しパターン受けた利用者が異常処理により電子鍵が削除されたことを知る形式でも良い。
（付記１）（１）
利用者名と鍵・開閉対象・利用者通知先を格納する記憶手段と、
利用者からの鍵取得要求を受信する手段と、
前記鍵取得要求に対応する鍵を生成し、前記記憶手段に格納する手段と、
生成した鍵を、前記鍵取得要求を行った利用者、および前記利用者と同じ開閉対象を持つ利用者の利用者通知先に送信する手段
を備えたことを特徴とする電子鍵制御装置。
（付記２）
前記の生成した鍵は、添付ファイルとして前記鍵取得要求を行った利用者、および前記利用者と同じ開閉対象を持つ利用者の利用者通知先に送信する手段であることを特徴とする付記１記載の電子鍵制御装置。
（付記３）（２）
利用者名と鍵・開閉対象・開閉対象イベント通知先・利用者通知先・利用者通知方法を格納する記憶手段と、
利用者から鍵使用要求を受信する手段と、
受信した鍵が前記記憶手段中の前記利用者に対応する鍵と一致した場合、前記利用者に対応する開閉対象イベント通知先に、前記開放対象に対する許可を送信する手段と、
前記記憶手段中の前記利用者に対応する鍵を無効にする手段と、
前記鍵が無効になった旨のメッセージを、前記利用者、および前記利用者と同じ開閉対象を持つ前記の利用者通知先に前記のそれぞれの利用者通知先に対応する利用者通知方法を用いて通知する手段
を備えたことを特徴とする電子鍵管理装置。
【００４３】
（付記４）
前記鍵が無効になった旨のメッセージは、鍵使用要求を行った利用者名を含むことを特徴とする付記３記載の電子鍵制御装置。
【００４４】
（付記５）（３）
利用者名と鍵・開閉対象・開閉対象イベント通知先・利用者通知先・利用者通知方法を格納する記憶手段と、
利用者から鍵使用要求を受信する手段と、
受信した鍵が前記記憶手段中の前記利用者に対応する鍵と一致しなかった場合、受信した鍵が前記記憶手段中の前記利用者に対応する鍵と一致しなかった回数を積算する手段と、
前記回数が所定の閾値を超過した場合、前記記憶手段中の前記利用者に対応する鍵を無効にする手段と、
前記鍵が無効になった旨のメッセージを、前記利用者、および前記利用者と同じ開閉対象を持つ前記の利用者通知先に前記のそれぞれの利用者通知先に対応する利用者通知方法を用いて通知する
を備えたことを特徴とする電子鍵管理装置。
【００４５】
（付記６）
前記鍵が無効になった旨のメッセージは、不正アクセスによるものであることを含むことを特徴とする付記５記載の電子鍵制御装置。
【００４６】
（付記７）
前記鍵が無効になった旨のメッセージの通知方法は、電子メールを用いたものであることを特徴とする付記５記載の電子鍵制御装置。
【００４７】
（付記８）
前記鍵が無効になった旨のメッセージの通知方法は、電話の呼び出しパターンを用いたものであることを特徴とする付記５記載の電子鍵制御装置。
【００４８】
（付記９）（４）
利用者からの鍵取得要求を受信するステップと、
前記鍵取得要求に対応する鍵を生成し、利用者名と鍵・開閉対象・利用者通知先を格納する記憶手段に格納するステップと、
生成した鍵を、前記鍵取得要求を行った利用者、および前記利用者と同じ開閉対象を持つ利用者の利用者通知先に送信するステップ
を備えたことを特徴とする電子鍵制御方法。
【００４９】
（付記１０）
利用者から鍵使用要求を受信するステップと、
受信した鍵が、利用者名と鍵・開閉対象・開閉対象イベント通知先・利用者通知先・利用者通知方法を格納する記記憶手段中の前記利用者に対応する鍵と一致した場合、前記利用者に対応する開閉対象イベント通知先に、前記開放対象に対する許可を送信するステップと、
前記記憶手段中の前記利用者に対応する鍵を無効にするステップと、
前記鍵が無効になった旨のメッセージを、前記利用者、および前記利用者と同じ開閉対象を持つ前記の利用者通知先に前記のそれぞれの利用者通知先に対応する利用者通知方法を用いて通知するステップ
を備えたことを特徴とする電子鍵制御方法。
【００５０】
（付記１１）
利用者から鍵使用要求を受信するステップと、
受信した鍵が、利用者名と鍵・開閉対象・開閉対象イベント通知先・利用者通知先・利用者通知方法を格納する記憶手段中の前記利用者に対応する鍵と一致しなかった場合、受信した鍵が前記記憶手段中の前記利用者に対応する鍵と一致しなかった回数を積算するステップと、
前記回数が所定の閾値を超過した場合、前記記憶手段中の前記利用者に対応する鍵を無効にするステップと、
前記鍵が無効になった旨のメッセージを、前記利用者、および前記利用者と同じ開閉対象を持つ前記の利用者通知先に前記のそれぞれの利用者通知先に対応する利用者通知方法を用いて通知するステップ
を備えたことを特徴とする電子鍵管理方法。
【００５１】
（付記１２）（５）
利用者からの鍵取得要求を受信するステップと、
前記鍵取得要求に対応する鍵を生成し、利用者名と鍵・開閉対象・利用者通知先を格納する記憶手段に格納するステップと、
生成した鍵を、前記鍵取得要求を行った利用者、および前記利用者と同じ開閉対象を持つ利用者の利用者通知先に送信するステップ
を実行させるためのプログラムを格納したコンピュータ読み取り可能な記録媒体。
【００５２】
（付記１３）
利用者から鍵使用要求を受信するステップと、
受信した鍵が、利用者名と鍵・開閉対象・開閉対象イベント通知先・利用者通知先・利用者通知方法を格納する記記憶手段中の前記利用者に対応する鍵と一致した場合、前記利用者に対応する開閉対象イベント通知先に、前記開放対象に対する許可を送信するステップと、
前記記憶手段中の前記利用者に対応する鍵を無効にするステップと、
前記鍵が無効になった旨のメッセージを、前記利用者、および前記利用者と同じ開閉対象を持つ前記の利用者通知先に前記のそれぞれの利用者通知先に対応する利用者通知方法を用いて通知するステップ
を実行させるためのプログラムを格納したコンピュータ読み取り可能な記録媒体。
【００５３】
（付記１４）
利用者から鍵使用要求を受信するステップと、
受信した鍵が、利用者名と鍵・開閉対象・開閉対象イベント通知先・利用者通知先・利用者通知方法を格納する記憶手段中の前記利用者に対応する鍵と一致しなかった場合、受信した鍵が前記記憶手段中の前記利用者に対応する鍵と一致しなかった回数を積算するステップと、
前記回数が所定の閾値を超過した場合、前記記憶手段中の前記利用者に対応する鍵を無効にするステップと、
前記鍵が無効になった旨のメッセージを、前記利用者、および前記利用者と同じ開閉対象を持つ前記の利用者通知先に前記のそれぞれの利用者通知先に対応する利用者通知方法を用いて通知するステップ
を実行させるためのプログラムを格納したコンピュータ読み取り可能な記録媒体。
【００５４】
【発明の効果】
個々の端末操作を煩雑にすることなく、必要最小限の電子鍵のみを流通させることで、電子鍵の安全性を高めることが出来ると言う効果がある。
【図面の簡単な説明】
【図１】本発明の実施例のシステム構成を説明する図。
【図２】本発明の実施例の利用者登録プログラム説明する図。
【図３】本発明の実施例の電子鍵制御プログラムを説明する図。
【図４】本発明の実施例の利用者ＤＢ。
【図５】本発明の実施例の利用者端末画面例（その１）。
【図６】本発明の実施例の利用者端末画面例（その２）。
【図７】本発明の実施例の利用者端末画面例（その３）。
【符号の説明】
１０１  本発明の実施例の電子鍵制御装置
１０３  本発明の実施例の利用者登録プログラム
１０５  本発明の実施例の電子鍵制御プログラム
１０７  本発明の実施例の利用者ＤＢ
１０９  ネットワーク
１１１  本発明の実施例の利用者端末
１１３  本発明の実施例の利用者端末
１１５  本発明の実施例の開閉対象制御装置
【図１】
2005025546.tif 000003
【図２】
2005025546.tif 000004
【図３】
2005025546.tif 000005
【図４】
2005025546.tif 000006
【図５】
2005025546.tif 000007
【図６】
2005025546.tif 000008
【図７】
2005025546.tif 000009